(57)【要約】【課題】前後方向に対して傾斜した導光レンズの前面を前方向きに発光させつつ、従来に比べて光利用率を向上させる。【解決手段】車両用灯具１は、前後方向に対して斜めに傾斜した基準線Ｓに沿って延在するとともに、複数のレンズカット３３０，…を後面３３に有する長尺な導光レンズ３と、導光レンズ３の前端部に対向配置されたＬＥＤ２と、導光レンズ３の後方に配置された反射部材４とを備える。各レンズカット３３０は、基準線Ｓに対して急峻な角度で後方へ立ち上がる後側の第一プリズム面３３１と、基準線Ｓに対して緩やかな角度で後方へ立ち上がる前側の第二プリズム面３３２とを有する鋸歯状に形成されている。反射部材４は、導光レンズ３の各レンズカット３３０の第一プリズム面３３１から後方へ出射した光を、当該レンズカット３３０の後側に隣接する他のレンズカット３３０の第二プリズム面３３２に向けて反射させる。【選択図】図３
2015185297.tif 000002
【特許請求の範囲】
【請求項１】
前後方向に対して斜めに傾斜した方向に沿って延在するよう配置されるとともに、その長手方向に沿って並設された複数のレンズカットを後面に有する長尺な導光レンズと、
前記導光レンズの長手方向前側の端部に対向配置された光源と、
前記導光レンズの後方に前記長手方向に沿って配置された反射部材と、
を備える車両用灯具であって、
前記複数のレンズカットは、前記長手方向に対して急峻な角度で後方へ立ち上がる後側の第一プリズム面と、前記長手方向に対して緩やかな角度で後方へ立ち上がる前側の第二プリズム面と、を有する鋸歯状にそれぞれ形成され、
前記反射部材は、前記導光レンズの各レンズカットの前記第一プリズム面から後方へ出射した光を、当該レンズカットの後側に隣接する他のレンズカットの前記第二プリズム面に向けて反射させることを特徴とする車両用灯具。
【請求項２】
前記導光レンズは、前記光源から出射した光を平行光としつつ当該導光レンズ内に入射させる入光部を、前記長手方向前側の端部に有することを特徴とする請求項１に記載の車両用灯具。
【請求項３】
前記導光レンズは、
平面視で前後方向に対して所定の角度で斜めに傾斜した基準線に略沿うように配置され、
当該導光レンズの前面のうち、前記長手方向前側の部分が、前記入光部からの前記平行光を平面視で前記基準線に対して４〜８°の範囲内で傾斜した方向へ反射させる反射面となっていることを特徴とする請求項２に記載の車両用灯具。
【請求項４】
前記導光レンズは、
平面視で前後方向に対して所定の角度で斜めに傾斜した基準線に略沿うように配置され、
当該導光レンズの前記長手方向前側の端部が後方へ屈曲されるとともに、当該端部の先端に前記入光部が設けられ、
当該導光レンズの前面のうち、前記長手方向前側の屈曲部近傍の部分が、前記入光部から当該導光レンズ内に入射した前記平行光を前記基準線に略沿うように反射させる第二反射面となっていることを特徴とする請求項２又は３に記載の車両用灯具。
【請求項５】
前記第二反射面が、前記平行光を平面視で１〜３°の角度範囲に拡散させる湾曲面状に形成されていることを特徴とする請求項４に記載の車両用灯具。
【請求項６】
前記第二反射面が、前記平行光を平面視で前記基準線に対して−９〜−１１°の範囲内で傾斜した方向へ反射させることを特徴とする請求項４又は５に記載の車両用灯具。
【請求項７】
前記導光レンズは、平面視で前後方向に対して所定の角度で斜めに傾斜した基準線に略沿うように配置され、
前記反射部材の反射面は、平面視で、前記基準線の前記角度が大きくなるに連れて、当該基準線に対する当該反射面の角度が小さくなることを特徴とする請求項１〜６の何れか一項に記載の車両用灯具。
【請求項８】
前記導光レンズは、平面視で前後方向に対して所定の角度で斜めに傾斜した基準線に略沿うように配置され、
前記反射部材の反射面は、前記基準線に対する平面視での角度が前記第一プリズム面のものよりも大きく、
前記第一プリズム面は、前記基準線に対する平面視での角度が前記第二プリズム面のものよりも大きいことを特徴とする請求項１〜７の何れか一項に記載の車両用灯具。
【発明の詳細な説明】
【技術分野】
【０００１】
本発明は、車両に搭載される車両用灯具に関し、特に、前後方向に対して斜めに傾斜した長尺な導光レンズを発光させる車両用灯具に関する。
【背景技術】
【０００２】
従来、車両に搭載される車両用灯具として、長尺な導光レンズを発光させるものが知られている。この種の車両用灯具では、一般に、長手方向の側端面から導光レンズ内に入射した光を、その長手方向に沿って導光させつつ後面のレンズカットで反射させて前面から出射させることによって、当該導光レンズの前面を発光させている。
【０００３】
しかし、このような車両用灯具では、その前後方向に対して斜めに傾斜した方向に沿って導光レンズが配置された場合に、長手方向前側の側端面から導光レンズ内に入射した光を前方に向けて出射させることができず、ひいては導光レンズの前面を前方向きに発光させることができない。
【０００４】
具体的には、図６（ａ）に示すように、例えば右側から左側に向かって斜め後方へ傾斜した長尺な導光レンズの前面を発光させる場合、その長手方向前側の側端面と対向した光源（図示省略）からの光は、導光レンズに沿って斜め後方向きに当該導光レンズ内を導光する。そのため、この光を導光レンズの前面から前方向きに出射させるには、後面のレンズカットで鋭角に内部反射させなければならないが、その目的で単純にレンズカットの後側の面を急峻なものとすると、この面から後方へ光が抜けてしまう。したがって、光が抜けることを防止しようとすると、レンズカットの後側の面をあまり急峻には形成できず、結果として、導光レンズから前方向きに光を出射させることができない。
【０００５】
そこで、特許文献１に記載の車両用灯具では、導光レンズの後方に反射部材を配置し、導光レンズから後方に抜けた光を反射部材で反射させて導光レンズ内に再入射させることによって前方向きの光を得ている。より詳しくは、図６（ｂ）に示すように、導光レンズから後方へ一度抜けた光を、反射部材によって比較的に緩やかな角度で反射させ、レンズカットの前側の面で屈折させつつ導光レンズ内に再入射させた後に、このレンズカットの後側の面で前方へ内部反射させている。
【先行技術文献】
【特許文献】
【０００６】
【特許文献１】特開２０１１−１９８５３７号公報
【発明の概要】
【発明が解決しようとする課題】
【０００７】
しかしながら、上記特許文献１に記載の車両用灯具では、導光レンズ及び反射部材による比較的に緩やかな角度での屈折と反射を繰り返すことで前方向きの光を得ているため、光の屈折と反射の総回数が多くなっている。特に、より大きく光の向きを変える導光レンズへの再入射時には、同一のレンズカットによる屈折と反射が必要となっている。その結果、屈折と反射に伴う光のロスが大きくなり、光利用率が大きく低下してしまう。
【０００８】
本発明は、上記課題を解決するためになされたもので、前後方向に対して傾斜した導光レンズの前面を前方向きに発光させるものであって、従来に比べて光利用率を向上させることができる車両用灯具の提供を目的とする。
【課題を解決するための手段】
【０００９】
上記目的を達成するために、請求項１に記載の発明は、
前後方向に対して斜めに傾斜した方向に沿って延在するよう配置されるとともに、その長手方向に沿って並設された複数のレンズカットを後面に有する長尺な導光レンズと、
前記導光レンズの長手方向前側の端部に対向配置された光源と、
前記導光レンズの後方に前記長手方向に沿って配置された反射部材と、
を備える車両用灯具であって、
前記複数のレンズカットは、前記長手方向に対して急峻な角度で後方へ立ち上がる後側の第一プリズム面と、前記長手方向に対して緩やかな角度で後方へ立ち上がる前側の第二プリズム面と、を有する鋸歯状にそれぞれ形成され、
前記反射部材は、前記導光レンズの各レンズカットの前記第一プリズム面から後方へ出射した光を、当該レンズカットの後側に隣接する他のレンズカットの前記第二プリズム面に向けて反射させることを特徴とする。
【００１０】
請求項２に記載の発明は、請求項１に記載の車両用灯具において、
前記導光レンズは、前記光源から出射した光を平行光としつつ当該導光レンズ内に入射させる入光部を、前記長手方向前側の端部に有することを特徴とする。
【００１１】
請求項３に記載の発明は、請求項２に記載の車両用灯具において、
前記導光レンズは、
平面視で前後方向に対して所定の角度で斜めに傾斜した基準線に略沿うように配置され、
当該導光レンズの前面のうち、前記長手方向前側の部分が、前記入光部からの前記平行光を平面視で前記基準線に対して４〜８°の範囲内で傾斜した方向へ反射させる反射面となっていることを特徴とする。
【００１２】
請求項４に記載の発明は、請求項２又は３に記載の車両用灯具において、
前記導光レンズは、
平面視で前後方向に対して所定の角度で斜めに傾斜した基準線に略沿うように配置され、
当該導光レンズの前記長手方向前側の端部が後方へ屈曲されるとともに、当該端部の先端に前記入光部が設けられ、
当該導光レンズの前面のうち、前記長手方向前側の屈曲部近傍の部分が、前記入光部から当該導光レンズ内に入射した前記平行光を前記基準線に略沿うように反射させる第二反射面となっていることを特徴とする。
【００１３】
請求項５に記載の発明は、請求項４に記載の車両用灯具において、
前記第二反射面が、前記平行光を平面視で１〜３°の角度範囲に拡散させる湾曲面状に形成されていることを特徴とする。
【００１４】
請求項６に記載の発明は、請求項４又は５に記載の車両用灯具において、
前記第二反射面が、前記平行光を平面視で前記基準線に対して−９〜−１１°の範囲内で傾斜した方向へ反射させることを特徴とする。
【００１５】
請求項７に記載の発明は、請求項１〜６の何れか一項に記載の車両用灯具において、
前記導光レンズは、平面視で前後方向に対して所定の角度で斜めに傾斜した基準線に略沿うように配置され、
前記反射部材の反射面は、平面視で、前記基準線の前記角度が大きくなるに連れて、当該基準線に対する当該反射面の角度が小さくなることを特徴とする。
【００１６】
請求項８に記載の発明は、請求項１〜７の何れか一項に記載の車両用灯具において、
前記導光レンズは、平面視で前後方向に対して所定の角度で斜めに傾斜した基準線に略沿うように配置され、
前記反射部材の反射面は、前記基準線に対する平面視での角度が前記第一プリズム面のものよりも大きく、
前記第一プリズム面は、前記基準線に対する平面視での角度が前記第二プリズム面のものよりも大きいことを特徴とする。
【発明の効果】
【００１７】
請求項１に記載の発明によれば、光源から出射して長手方向前側の端部から導光レンズ内に入射した光が、当該導光レンズの長手方向に沿ってその内部を導光した後に、後面の複数のレンズカットのうちの第一プリズム面から当該導光レンズの後方へ出射される。この光は、反射部材によって反射されて、当該光を出射させたレンズカットの後側に隣接する他のレンズカットの第二プリズム面から導光レンズ内に再入射した後に、当該導光レンズの前面から前方へ出射される。つまり、導光レンズから後方へ出射した光を反射部材で鋭角に反射させることにより、レンズカットの第二プリズム面を通じて屈折のみを生じさせつつ当該光を導光レンズ内に再入射させて、当該導光レンズの前面を前方向きに発光させることができる。したがって、光を導光レンズ内に再入射させるときに当該光の屈折と反射が必要であった従来に比べ、反射の回数を減らして光利用率を向上させることができる。
【００１８】
請求項２に記載の発明によれば、導光レンズが、光源から出射した光を平行光としつつ当該導光レンズ内に入射させる入光部を長手方向前側の端部に有するので、光源から出射された光を所望の光路に沿って制御しやすくすることができ、ひいては、光利用率をさらに向上させることができる。
【図面の簡単な説明】
【００１９】
【図１】実施形態における車両用灯具の正面図である。
【図２】図１のII−II線での断面図である。
【図３】図２のＡ部の拡大図である。
【図４】図３のＢ部の拡大図である。
【図５】実施形態における車両用灯具の変形例を説明するための図である。
【図６】従来の車両用灯具を説明するための図である。
【発明を実施するための形態】
【００２０】
以下、本発明の実施形態について、図面を参照して説明する。
図１は、本実施形態における車両用灯具１の正面図であり、図２は、図１のII−II線での断面図であり、図３は、図２のＡ部の拡大図であり、図４は、図３のＢ部の拡大図である。
なお、以下の説明において、「前」「後」「左」「右」「上」「下」との記載は、特に断りのない限り、車両用灯具１から見た方向、すなわち、当該車両用灯具１が搭載される図示しない車両から見た方向を意味するものとする。
【００２１】
図１に示すように、車両用灯具１は、図示しない車両の前部左側に搭載されるヘッドランプであり、その前面を構成する素通しのアウターレンズ１０を備えている。アウターレンズ１０は、図示しない車両ボディの意匠ラインに沿って、平面視で左方（車両外側）に向かって斜め後方へ傾斜した形状に形成されており、本実施形態では、平面視で左右方向に対して約４０°左斜め後方へ傾斜している。このアウターレンズ１０に前方を覆われた灯室の内部には、主配光用の２つのランプユニット１１，１１が収容されている。
【００２２】
また、灯室内の下部には、図２に示すように、ＬＥＤ（発光ダイオード）２と、導光レンズ３と、反射部材４とが収容されている。
このうち、ＬＥＤ２は、導光レンズ３を発光させる光源であり、後述する導光レンズ３の入光部３１に発光面を対向させた状態で灯室内の右端部に配置されている。具体的には、ＬＥＤ２は、アウターレンズ１０に沿った（つまり平面視で左右方向に対して約４０°左斜め後方へ傾斜した）基準線Ｓに対し、平面視で角度α1（本実施形態では−９〜−１１°）だけ傾斜した左斜め後方を向く光軸Ａｘを有しており、この光軸Ａｘを中心として略放射状に光を出射させる。なお、角度α1は、基準線Ｓを前側から後側へ向かう始線としたときの当該基準線Ｓに対する一般角として、その大きさ等を記載することとし、後述する角度α2〜角度α5についても同様に記載することとする。
【００２３】
導光レンズ３は、長尺な棒状に形成されており、平面視で前後方向に対して斜めに傾斜した方向に略沿って延在した状態に配置されている。より詳しくは、導光レンズ３は、基準線Ｓに略沿うように、平面視で左方（車両外側）に向かって斜め後方へ傾斜した状態に配置されている。
【００２４】
導光レンズ３の長手方向の前端部には、ＬＥＤ２から出射した光を当該導光レンズ３内に入射させる入光部３１が設けられている。この入光部３１は、第一入射面３１１と、第二入射面３１２と、入光部反射面３１３とを有している。
このうち、第一入射面３１１は、光軸Ａｘを回転対称軸としてＬＥＤ２側へ膨出する凸面状に形成され、その焦点にＬＥＤ２が位置するように設けられている。この第一入射面３１１は、ＬＥＤ２から出射した光のうち光軸Ａｘ周辺の中央のものを、当該光軸Ａｘに略沿った平行光としつつ導光レンズ３内へ入射させる。
第二入射面３１２は、第一入射面３１１の周縁部からＬＥＤ２側へ立設された略円筒面である。この第二入射面３１２は、ＬＥＤ２から出射した光のうち、第一入射面３１１へのものよりも出射角度が大きいものを導光レンズ３内へ入射させる。
入光部反射面３１３は、第二入射面３１２の先端から光軸Ａｘ方向へ向かって外側（光軸Ａｘから離間する側）へ広がるように傾斜した裁頭円錐面であり、第二入射面３１２から導光レンズ３内へ入射した光を、光軸Ａｘに略沿うように内部反射（全反射）させる。
このような構成により、入光部３１は、ＬＥＤ２から出射した光を、光軸Ａｘに略沿った平行光としつつ導光レンズ３内へ入射させる。
【００２５】
導光レンズ３の前面３２は、当該導光レンズ３の略全長に亘って形成されており、平面視で前方への凸状にやや湾曲した長尺な湾曲平面状に形成されている。この前面３２は、後述するように、当該導光レンズ３から前方へ光を出射させる出射面となっている。
但し、この前面３２のうち前端部近傍の部分は、出射面であると同時に、入光部３１から導光レンズ３内に入射した光を内部反射（全反射）させる前面反射面３２１となっている。この前面反射面３２１は、光軸Ａｘに略沿った入光部３１からの光を、平面視で基準線Ｓに対して角度α2（本実施形態では４〜８°）だけ傾斜した方向に内部反射（全反射）させる。
【００２６】
導光レンズ３の後面３３には、図３及び図４に示すように、当該導光レンズ３の長手方向（つまり基準線Ｓ）に沿って並設された複数のレンズカット３３０，…が、当該導光レンズ３（後面３３）の略全長に亘って形成されている。
各レンズカット３３０は、上下方向に沿って一様な断面形状の鋸歯状に形成されており、導光レンズ３の長手方向後側（左側）の第一プリズム面３３１と、導光レンズ３の長手方向前側（右側）の第二プリズム面３３２とを有している。
このうち、第一プリズム面３３１は、導光レンズ３の長手方向に対して急峻な角度で後方へ立ち上がる面となっており、より詳しくは、平面視で基準線Ｓに対して直角に近い角度α3（本実施形態では約７３〜７７°）だけ傾斜した面となっている。この第一プリズム面３３１は、入光部３１から導光レンズ３内に入射して前面反射面３２１で内部反射された光を、やや屈折させつつ導光レンズ３の後方へ出射させる。
一方、第二プリズム面３３２は、導光レンズ３の長手方向に対して緩やかな角度で後方へ立ち上がる面となっており、より詳しくは、平面視で基準線Ｓに対して角度α3よりも小さな角度α4（本実施形態では約１４〜１８°）だけ傾斜した面となっている。この第二プリズム面３３２は、第一プリズム面３３１から導光レンズ３の後方へ出射して反射部材４で反射された光を、当該導光レンズ３内に再入射させる。また、第二プリズム面３３２は、第一プリズム面３３１と互いの先端で滑らかに連結している。
【００２７】
反射部材４は、導光レンズ３の後面３３を覆うように、当該導光レンズ３の後方に近接されつつその長手方向に沿って配置されている。この反射部材４の前面は、導光レンズ３の後面３３に形成された複数のレンズカット３３０，…と噛み合うように対応した鋸歯状に形成されており、複数の鋸歯状反射面４１，…を有している。各鋸歯状反射面４１は、導光レンズ３の各レンズカット３３０のうちの第一プリズム面３３１と対向する面となっており、平面視で基準線Ｓに対して角度α5（本実施形態では約１０８〜１１２°）だけ傾斜した面となっている。この鋸歯状反射面４１と、導光レンズ３のレンズカット３３０の第一プリズム面３３１及び第二プリズム面３３２とは、それぞれを規定する角度α5，角度α3及び角度α4が、α5＞α3＞α4を満足するように設定されている。当該鋸歯状反射面４１は、導光レンズ３の各レンズカット３３０の第一プリズム面３３１から後方へ出射した光を、当該レンズカット３３０の後側に隣接する他のレンズカット３３０の第二プリズム面３３２に向けて反射させる。
【００２８】
以上の構成を具備する車両用灯具１では、図２〜図４に示すように、ＬＥＤ２から出射した光が、導光レンズ３の入光部３１を通じて光軸Ａｘに略沿った平行光とされつつ当該導光レンズ３内に入射した後に、導光レンズ３の前面３２のうちの前面反射面３２１によって、基準線Ｓに沿った方向よりもやや後方向きとなるように内部反射される。この光は、導光レンズ３後面３３の複数のレンズカット３３０，…のうち、導光レンズ３の長手方向に対して急峻な角度α3で後方へ立ち上がる第一プリズム面３３１から当該導光レンズ３の後方へ出射される。導光レンズ３から後方へ出射した光は、反射部材４の複数の鋸歯状反射面４１，…によって前方へ鋭角に反射された後に、導光レンズ３後面３３の複数のレンズカット３３０，…のうち、導光レンズ３の長手方向に対して緩やかな角度α4で後方へ立ち上がる第二プリズム面３３２を通じて屈折されつつ導光レンズ３内に再入射する。そして、この光が、導光レンズ３の前面３２を通じて前後方向に略沿うように屈折されつつ前方へ出射されることにより、当該前面３２が前方向きに発光する。
【００２９】
以上のように、車両用灯具１によれば、導光レンズ３から後方へ出射した光を反射部材４で鋭角に反射させることにより、レンズカット３３０の第二プリズム面３３２を通じて屈折のみを生じさせつつ当該光を導光レンズ３内に再入射させて、当該導光レンズ３の前面３２を前方向きに発光させることができる。したがって、光を導光レンズ内に再入射させるときに当該光の屈折と反射が必要であった従来に比べ、反射の回数を減らして光利用率を向上させることができる。一般に、アクリルなどの導光部材では１回の屈折や反射によって数％のロスが生じるため、従来に比べて、このロス分に相当する光利用率の向上が期待でき、ひいては、ＬＥＤ２の消費電力低減やこれによる車両の燃費向上といった副次的な効果も期待できる。
【００３０】
また、前後方向に対して斜めに傾斜した導光レンズ３の前面３２を前方向きに発光させることができるので、正面視での点灯フィーリングを良好なものとすることができるのは勿論のこと、同様に傾斜した意匠ラインを有する車両に好適に適用することができ、ひいては灯体のレイアウトやデザイン自由度を向上させることができる。
【００３１】
また、導光レンズ３が、ＬＥＤ２から出射した光を平行光としつつ当該導光レンズ３内に入射させる入光部３１を長手方向前側の端部に有するので、ＬＥＤ２から出射された光を所望の光路に沿って制御しやすくすることができ、ひいては光利用率をさらに向上させることができる。
【００３２】
なお、本発明を適用可能な実施形態は、上述した実施形態に限定されることなく、本発明の趣旨を逸脱しない範囲で適宜変更可能である。
【００３３】
例えば、上記実施形態では、導光レンズ３が棒状に形成されており、その長手方向の前端部に入光部３１が設けられていることとしたが、図５に示すように、導光レンズ３の長手方向の前端部が後方へ屈曲されて屈曲部３４が形成され、その先端に入光部３１が設けられることとしてもよい。
この場合、ＬＥＤ２は、光軸Ａｘが左右方向に対して例えば１０°以上後方へ傾斜した方向に沿うように、左斜め前方向きに配置されており、導光レンズ３の入光部３１は、このＬＥＤ２からの光を光軸Ａｘに沿った平行光としつつ当該導光レンズ内に入射させる。また、導光レンズ３の前面３２のうち屈曲部３４近傍の部分は、入光部３１から当該導光レンズ３内に入射した平行光を基準線Ｓに略沿うように内部反射（全反射）させる第二前面反射面３２２となっている。より詳しくは、第二前面反射面３２２は、入光部３１からの平行光を、前面反射面３２１に向けて、基準線Ｓに対して平面視で上述の角度α1だけ傾斜した方向に反射させる。また、第二前面反射面３２２は、入光部３１からの平行光を平面視で１〜３°の角度範囲に拡散させるように湾曲面状に形成されていることが好ましい。
【００３４】
また、導光レンズ３が略沿うように配置される基準線Ｓは、平面視で左右方向に対して約４０°左斜め後方へ傾斜していることとしたが、約６０°までの範囲であれば、さらに傾斜していてもよい。但し、この基準線Ｓの傾斜角度に応じて、上述の角度α1〜角度α5なども変わることは勿論であり、例えば、反射部材４の鋸歯状反射面４１を規定する角度α5は、左右方向に対する基準線Ｓの角度が大きくなるに連れて、小さくなる。
【００３５】
また、導光レンズ３の前面３２からは、前後方向に略沿った光が出射されることとしたが、右斜め前方へ傾斜した方向に沿った光を出射させることとしてもよい。
【符号の説明】
【００３６】
１          車両用灯具
２          ＬＥＤ（光源）
Ａｘ      光軸
α1     角度
３          導光レンズ
３１      入光部
３２      前面
３２１  前面反射面
α2   角度
３２２  第二前面反射面
３３      後面
３３０  レンズカット
３３１  第一プリズム面
α3   角度
３３２  第二プリズム面
α4   角度
３４      屈曲部
４          反射部材
４１      鋸歯状反射面
α5     角度
Ｓ          基準線
【図１】
2015185297.tif 000003
【図２】
2015185297.tif 000004
【図３】
2015185297.tif 000005
【図４】
2015185297.tif 000006
【図５】
2015185297.tif 000007
【図６】
2015185297.tif 000008